(57)【特許請求の範囲】
【請求項１】
建物壁部に固定され横方向に延在して上下に離間する平行な上ベース枠及び下ベース枠と、
前記上ベース枠と前記下ベース枠とに渡って取り付けられる照明装置と、
前記照明装置を覆うとともに、前記上ベース枠に上縁が揺動自在に支持されて前記照明装置に対して前記上縁を中心に開閉自在とされ、閉止状態で下端部が前記下ベース枠に掛止される広告表示板と、
前記広告表示板を構成し、前記上縁と下縁とに水平板部を有するとともに前方に張り出した断面略Ｃ字状の膨出面を備える樹脂製の表示板部と、
前記広告表示板を構成し、前記表示板部の上縁水平板部及び下縁水平板部のそれぞれに横方向に延在して該表示板部に固定手段によって固定される上下一対の平行な金属製の上フレーム及び下フレームと、
前記上フレーム及び下フレームの長手方向における少なくとも１箇所が分断され間隙形成部を形成し、該間隙形成部における前記上フレーム及び下フレームの筒状部の内側でフレーム延在方向に沿って互いに摺動自在となって嵌合する連結コア部材と、
を具備することを特徴とする看板の構造。
【請求項２】
請求項１記載の看板の構造であって、
前記表示板部と、前記上フレーム及び前記下フレームとを固定する前記固定手段が、ビスと貫通穴の組合せとされ、該貫通穴は前記表示板部に穿設されフレーム延在方向に長い長穴で形成されることを特徴とする看板の構造。
【請求項３】
請求項１または２記載の看板の構造であって、
前記間隙形成部を挟む左右のフレーム端同士の間には、左右のフレーム端を接近方向に付勢し、前記間隙形成部を狭める付勢部材が設けられていることを特徴とする看板の構造。
【発明の詳細な説明】
【技術分野】
【０００１】
本発明は、商業施設や事業所等の各種建物の建物壁部や支持柱等に取り付けられる看板の構造に関する。
【背景技術】
【０００２】
透光性の樹脂板を凸状に成形し、凸面を表示面とした広告表示板を有する看板が知られている。この看板では、凸面の裏側に照明装置を配置し、凸面に設けた文字やマークを照明する（例えば特許文献１参照）。看板は、自重に耐えることはもとより、屋外に設置された場合の風圧等に対する強度を有していなければならない。そのため、従来、広告表示板は、四角形の外周の全周に、樹脂製のフレームを接着等によって固定していた。ところが、樹脂製のフレームでは、十分な強度が得られず、特に、２ｍ以上の横長の広告表示板では、表示面に歪みが生じ、広告品質が低下する場合があった。
【０００３】
そこで、樹脂材よりも剛性が高く、広告表示板交換時の容易性が確保できることから、軽量なアルミフレームを用いた広告表示板が開発された。アルミフレームは、横長の表示面に沿って、上下に離間して、一対のものが平行に表示面の上下縁に固定される。これにより、大型の広告表示板においても、表示面を十分な剛性で支えることができ、高品質な広告を提供することができた。
【先行技術文献】
【特許文献】
【０００４】
【特許文献１】特開平７−３１９４０９号公報
【特許文献２】特開平６−２５７３５０号公報
【発明の概要】
【発明が解決しようとする課題】
【０００５】
しかしながら、剛性付与のために、広告表示板にアルミフレームを固定すると、外気温の変化等によって温度差が生じた場合、アルミフレームと広告表示板の樹脂との線膨張係数の違いから、両者間に熱応力が発生する。特に、長尺の看板では、寒暖差等によって大きな熱応力が広告表示板に生じると、大きな歪みや破損の虞がある。線膨張係数は、樹脂材に比べてアルミ材の方が小さい（樹脂材の線膨張係数＞アルミ材の線膨張係数）。このため、例えば膨張時には、膨らもうとする凸状の広告表示板を、裏側で枠組みされ固定されているアルミフレームが拘束することとなり、表示板部に大きな熱応力が発生する。一方、収縮時には、平らになろうとする凸状の広告表示板を、裏側で枠組み固定されているアルミフレームが拘束することとなり、これによっても表示板部に大きな熱応力が発生する。
高温時の熱膨張に対しては、照明装置の熱を排熱するための開口設置も考えられるが、内部の汚れを助長することとなり、広告品質を低下させる。また、ファンやヒータを内蔵することで、温度調整を行うことも考えられるが、コストを増大させて商品競争力を低下させることになる。
【０００６】
また、上記した特許文献２の窓枠伸縮装置のように、アルミ材よりなる保持枠を矩形に枠組みして構成される窓枠構造とし、この保持枠を２つに分割し、それらをブロック部材を介在させて保持枠が伸縮可能とした構成のものもある。この例では、平坦なアクリル樹脂製のパネル板を、周囲から囲むように構成される枠構造とされ、パネル板と保持枠とは互いが固定される構造ではなく矩形枠内に遊びをもたせて嵌め込まれるように取り付けられ、平坦なパネル板の熱膨張に対して、その平坦さを失わないように枠が伸縮するものである。
しかしながら、この特許文献２の構造では、上下横保持枠で矩形に枠組みされた内側に、アクリル樹脂パネルを、その縁部分を支えるように嵌め、壁面ユニットとして構成されるものであり、樹脂パネルと保持枠とは固定構造とされていない。この特許文献２では、樹脂パネルと保持枠とがそれぞれに剛性を有していることから、異素材であることによる熱膨張の吸収のみを枠が伸縮する構造で得ているものである。
【０００７】
本発明は上記状況に鑑みてなされたもので、その目的は、広告表示板の周囲に固定されて剛性を付与しつつ、熱応力による樹脂表示板の割れを防止できる看板の構造を提供することにある。
【課題を解決するための手段】
【０００８】
次に、上記の課題を解決するための手段を、実施の形態に対応する図面を参照して説明する。
本発明の請求項１記載の看板の構造は、建物壁部３５に固定され横方向に延在して上下に離間する平行な上ベース枠１７及び下ベース枠１９と、
前記上ベース枠１７と前記下ベース枠１９とに渡って取り付けられる照明装置２０と、
前記照明装置２０を覆うとともに、前記上ベース枠１７に上縁が揺動自在に支持されて前記照明装置２０に対して前記上縁を中心に開閉自在とされ、閉止状態で下端部６７が前記下ベース枠１９に掛止される広告表示板１３と、
前記広告表示板１３を構成し、前記上縁と下縁とに水平板部６９ａ，６９ｂを有するとともに前方に張り出した断面略Ｃ字状の膨出面６９ｃを備える樹脂製の表示板部６９と、
前記広告表示板１３を構成し、前記表示板部６９の上縁水平板部６９ａ及び下縁水平板部６９ｂのそれぞれに横方向に延在して該表示板部６９に固定手段７１によって固定される上下一対の平行な金属製の上フレーム２２及び下フレーム２４と、
前記上フレーム２２及び下フレーム２４の長手方向における少なくとも１箇所が分断され間隙形成部８３を形成し、該間隙形成部８３における前記上フレーム２２及び下フレーム２４の筒状部７９の内側でフレーム延在方向に沿って互いに摺動自在となって嵌合する連結コア部材２７と、
を具備することを特徴とする。
【０００９】
この看板の構造では、上フレーム２２及び下フレーム２４のそれぞれを分断することで、長尺の看板においても、アルミ製のフレーム（上フレーム２２及び下フレーム２４）の長手方向に伸縮の自由度が得られる。これにより、上フレーム２２及び下フレーム２４が固定された広告表示板１３に生じる熱応力を小さくすることができる。また、分断された複数の上フレーム２２及び下フレーム２４は、分断部分で連結コア部材２７によって摺動自在に連結される。従って、看板の構造では、夏季などでの高温時に樹脂製の表示板部６９が膨張変形してもアルミ製の上下フレーム２２，２４との温度差による伸縮は吸収しつつ、すなわち上下フレーム２２，２４が表示板部６９を拘束せず、広告表示板１３の歪みを防止する骨材となり、長尺部材のままの強度を広告表示板１３に付与できる。
【００１０】
本発明の請求項２記載の看板の構造は、請求項１記載の看板の構造であって、
前記表示板部６９と、前記上フレーム２２及び前記下フレーム２４とを固定する前記固定手段７１が、ビスと貫通穴の組合せとされ、該貫通穴は前記表示板部６９に穿設されフレーム延在方向に長い長穴８１で形成されることを特徴とする。
【００１１】
この看板の構造では、分断部分を備えるアルミ製の上フレーム２２、下フレーム２４と、表示板部６９との固定部分において、外気温の変化等による温度差によって熱膨張や収縮が発生すると、双方の線膨張係数の違いによってその程度に差異が生じるが、固定部分が固定状態のままではなく、本構成では、この固定部分において、ビス７１と長穴８１との組合せとし、その長手方向に移動可能な範囲で相対移動する。
【００１２】
本発明の請求項３記載の看板の構造は、請求項１または２記載の看板の構造であって、
前記間隙形成部８３を挟む左右のフレーム端８５，８５同士の間には、左右のフレーム端８５を接近方向に付勢し、前記間隙形成部８３を狭める付勢部材９７が設けられていることを特徴とする。
【００１３】
この看板の構造では、高温により、広告表示板１３の表示板部６９が膨張すると、表示板部６９の縁部分に固定されている上フレーム２２及び下フレーム２４もそれに連れて延びようとする。このため、上フレーム２２及び下フレーム２４は、分断箇所の間隙形成部８３が拡がる。この際、フレーム端８５に設けられている付勢部材９７は、付勢方向に抗する。温度が下がり、表示板部６９が収縮すると、間隙形成部８３を拡げていた熱応力が小さくなる。その熱応力が、付勢部材９７の弾性復元力よりも小さくなったとき、分断されている左右のアルミフレームは、向かい合うフレーム端同士に設けられている付勢部材９７の弾性復元力によって間隙形成部８３を狭める方向に移動される。
【発明の効果】
【００１４】
本発明に係る請求項１記載の看板の構造によれば、広告表示板に剛性を付与しつつ、外気温の変化による膨張などの変形による樹脂製の表示板部の割れを防止できる。
【００１５】
本発明に係る請求項２記載の看板の構造によれば、上フレーム及び下フレームの分断部分による間隙形成部の許容を長穴によりさらに広げ、アルミ製の上下フレームに拘束されることにより樹脂製の表示板部に生じる熱応力を抑制できる。
【００１６】
本発明に係る請求項３記載の看板の構造によれば、広告表示板の樹脂製の表示板部の膨張によって拡がった膨張吸収間隙を、付勢部材の付勢力によって強制的に元の状態に戻すことができる。
【図面の簡単な説明】
【００１７】
【図１】本発明の実施形態に係る看板の構造を備えた分割開閉看板の斜視図である。
【図２】図１に示した分割開閉看板の縦断面図である。
【図３】図２の上部拡大断面図である。
【図４】連結コア部材の近傍を背面側から見た分解斜視図である。
【図５】図３の一部拡大断面図である。
【図６】図２の下部拡大断面図である。
【図７】図１に示した分割開閉看板の一部拡大平断面図である。
【図８】（ａ）通常時の間隙形成部近傍の正面断面図、（ｂ）同間隙形成部近傍の下面断面図である。
【図９】図８におけるＡ−Ａ線断面図である。
【図１０】図８におけるＢ−Ｂ線断面図である。
【図１１】（ａ）通常時の間隙形成部近傍の正面断面図、（ｂ）高温膨張時の間隙形成部近傍の正面断面図である。
【図１２】（ａ）上フレームにおける長穴の近傍の正面断面図、（ｂ）上フレームにおける長穴の近傍の正面断面図である。
【発明を実施するための形態】
【００１８】
以下、本発明に係る実施形態を図面を参照して説明する。
図１は本発明の実施形態に係る看板の構造を備えた分割開閉看板１１の斜視図、図２は図１に示した分割開閉看板１１の縦断面図である。
本実施形態に係る看板の構造は、例えば図１に示すような店舗に設置される帯看板など複数の広告表示板１３が横並びに連続して配置され、それぞれが開閉自在となった分割開閉看板１１に適用できる。分割されたそれぞれの広告表示板１３は、横幅寸法が表示内容に応じて異なるのみで、構造は同一である。なお、それぞれの広告表示板１３の互いに近接し対向する対向面１５には、パッキンが設けられることとしてもよい。
【００１９】
本実施形態に係る看板の構造は、上ベース枠１７及び下ベース枠１９と、照明装置２０と、広告表示板１３とで具備され、広告表示板１３は、表示板部６９と、上フレーム２２、下フレーム２４及び左右縦フレーム２１と、連結コア部材２７（図４参照）と、を有する。
【００２０】
上ベース枠１７及び下ベース枠１９は、横方向に延在して上下に離間して平行に配置される。上ベース枠１７及び下ベース枠１９は、図２，３，６に示す固定ネジ３３やアンカーボルト３４によって建物壁部３５の構造材３６に固定される。上ベース枠１７及び下ベース枠１９は、例えばアルミニウムの押出成形によって同一断面形状が連続する長尺部材として形成される。
【００２１】
図３は図２の上部拡大断面図である。
上ベース枠１７は、縦断面形状において、上部から庇支持部３７と、表示板開閉支持部３９と、照明支持部４１と、が一体に成形される。庇支持部３７には、分割開閉看板１１の横方向全長に渡って連続して形成される庇４３がネジ４２などの固定手段にて固定される。庇４３と、庇支持部３７との両側端部は、図２に示す庇側板４５によって塞がれる。
【００２２】
表示板開閉支持部３９は、縦断面形状において上側が開放して弓形半円状となる半割円筒凹部４７を備える。この表示板開閉支持部３９には、長尺の表示板保持部材４９が支持される。表示板保持部材４９は、縦断面形状において下側に弓形半円状となって湾曲した半割円筒凸部５１を備える。表示板保持部材４９は、この半割円筒凸部５１を、表示板開閉支持部３９の半割円筒凹部４７に回転自在に載置することで、後述する広告表示板１３をはね上げるように開閉自在に支持する。また、庇支持部３７の下方には、規制板５３が着脱自在にネジ５４にて固定される。規制板５３は、半割円筒凸部５１の半割円筒凹部４７からの離脱を上方から規制する。従って、規制板５３は、ネジ固定された状態で、表示板開閉支持部３９に表示板保持部材４９を回転自在に支持し、この表示板保持部材４９の回転中心を保持し、また、規制板５３が取り外されることで、表示板保持部材４９とともに、広告表示板１３が、上ベース枠１７から取り外しが可能となっている。なお、表示板開閉支持部３９には、半割円筒凹部４７の上方に規制突片４８が突設され、表示板保持部材４９の半割円筒凸部５１の先端側には回転規制突片５２が突設されており、規制突片４８と回転規制突片５２とが衝接することで、表示板保持部材４９及び広告表示板１３の回転範囲終端を構成している。規制突起４８と回転規制突起５２との衝接状態と、半割円筒凹部４７と半割円筒凸部５１との載置状態、及び規制板５３の保持状態によって、表示板開閉支持部３９に広告表示板１３が略吊下状態で配設される。
【００２３】
上ベース枠１７と下ベース枠１９とには、図２に示すように、照明装置２０が取り付けられる。照明装置２０は、上ベース枠１７の照明支持部４１に、フック５５が係止される（図３参照）。フック５５によって荷重が支持された照明装置２０は、照明装置下端５７が下ベース枠１９にネジ固定される（図６参照）。照明装置２０の図２に示す光源５９としては、蛍光灯やＬＥＤが用いられる。なお、照明装置２０には反射板が設けられてもよく、この反射板とともに光源５９が配置されることで、光源５９からの光が効率よく広告表示板１３の背面に照射される構成とすることとしてもよい。
【００２４】
図４は連結コア部材２７の近傍を背面側から見た分解斜視図である。
広告表示板１３は、上ベース枠１７に開閉自在に支持され、閉止の状態で下端部６７（図６参照）が下ベース枠１９に固定されて、照明装置２０を覆う。この広告表示板１３は、表示板部６９と、上フレーム２２及び下フレーム２４と、左右縦フレーム２１と、連結コア部材２７と、によって構成される。
表示板部６９は、透光性の樹脂材料によって断面略Ｃ字形状の凸状に成形され、上縁と下縁とに水平板部６９ａ，６９ｂとを有するとともに前方に張り出した膨出面６９ｃを備え一面が開放した略矩形箱型に膨出形成される。表示板部６９は、凸面である膨出面６９ｃを表示面とする。表示板部６９は、この膨出面６９ｃの裏側に配置した照明装置２０によって、膨出面６９ｃに設けた文字やマークが照明される。
【００２５】
上フレーム２２、下フレーム２４及び左右縦フレーム２１は、例えばアルミニウムの押出成形によって同一断面形状の長尺部材として形成される。上フレーム２２及び下フレーム２４は、横方向に延在し、上下一対の平行とされ、左右縦フレーム２１は垂直となって左右一対の平行とされて、矩形の枠組み構造となり、表示板部６９に固定手段としてのビス７１（図４参照）によって固定される。
【００２６】
上フレーム２２、下フレーム２４のそれぞれ、及び左縦フレーム２１、右縦フレーム２１のそれぞれは、同一断面形状の部材を、それぞれ反転させて使用している（図３，６，７参照）。つまり、上下フレーム２２，２４を同一部材とし、左右フレーム２１，２１を同一部材としている。なお、図示はしないが、上下フレーム２２，２４の左右端部において、左右縦フレーム２１がそれぞれ掛け渡されるように垂直に配置され、互いの隅部分にはコーナー部材などによって直角に連結されている。
【００２７】
図３に示すように、上フレーム２２の背面側に形成される奥拡がり形状のＣ字係合溝７３には、表示板保持部材４９のＴ字係合部７５が係合される。上フレーム２２及び下フレーム２４の正面方向に開口するＵ字溝７７，７８には、表示板部６９の上端縁７０ａ及び下端縁７０ｂが挿入される。また、図７に示すように、左右縦フレーム２１も上下フレーム２２，２４と同様に正面方向に開口するＵ字溝７６が形成され、表示板部６９の左右端縁７０ｃ，７０ｄが挿入される。
【００２８】
本実施形態では、上フレーム２２、下フレーム２４、左右縦フレーム２１のそれぞれが、フレーム本体２３，２５，６４と挟持板２９とで構成されている。各フレーム本体２３，２５，６４は、略角パイプ状に形成される筒状部７９を備え、図４及び図５に示すように、上下フレーム２２，２４のフレーム本体２３（２５）には、上記したようにＣ字係合溝７３が背面側に形成されている。また、挟持板２９が取り付けられる外側面である取付面２６には、係止溝２８が長手方向に沿って形成されている。挟持板２９は、長短一対の片部を有する略Ｊ字状に形成されて、短片側の先端に係止爪３０が形成されており、この係止爪３０が係止溝２８に挿入されることでフレーム本体２３（２５）に取り付けられるようになっている。そして、この取り付け状態で、取付面２６と長片側とでＵ字溝７６，７７，７８が形成される。
【００２９】
本実施形態での看板の構造では、表示板部６９と、上フレーム２２、下フレーム２４及び左右縦フレーム２１とを固定する固定手段が、ビス７１と貫通穴との組合せとしており、図４に示すように、表示板部６９に穿設された貫通穴にビス７１が貫通し、この貫通穴が、フレーム延在方向に長い長穴８１で形成されている。長穴８１とビス７１との間には、長穴８１に対してビス７１が直接触れないように円筒形状のスペーサ３１が介設されている。そして、フレーム本体２３（２５）の取付面２６に長手方向に沿って係止溝２８と平行に形成された溝部内にスペーサ３１が嵌入し、この溝部の所定箇所に設けられたネジ穴３２にビス７１が螺着する。ビス７１は、挟持板２９の固定穴６１を貫通しており、すなわち、表示板部６９は、その上縁水平板部６９ａの上端縁７０ａが挟持板２９とフレーム本体２３とで形成されるＵ字溝７７に挿入され、フレーム本体２３の取付面２６と挟持板２９とで挟持されて、ビス７１が螺着されることで上フレーム２２に固定され、また下縁水平板部６９ｂの下端縁７０ｂでは、挟持板２９とフレーム本体２５とで形成されるＵ字溝７８に挿入され、ビス７１が螺着されることで下フレーム２４に固定され、さらに左右の縦縁部においても図７に示すように同様に挟持板２９とフレーム本体６４とで形成されるＵ字溝７６に挿入されビス７１が螺着されて固定される。
【００３０】
なお、本実施形態では、スペーサ３１によって、フレーム本体２３，２５の取付面２６と挟持板２９との間隔を所定の間隔で保持できるようになっており、その間隔は表示板部６９の厚みよりもやや大きく設定されている。すなわちスペーサ３１の上端と下端とで、挟持板２９の固定穴６１の周囲と、フレーム本体２３，２５の溝部底部のネジ穴３２の周囲とが支持され、スペーサ３１を貫通するビス７１がフレーム本体２３，２５に挟持板２９を固定して、ビス７１に対して表示板部６９は遊嵌状態とされ、表示板部６９の上端縁７０ａ，下端縁７０ｂはフレーム本体２３，２５と挟持板２９とに面接触状態で挟持されずクリアランスを有した状態で取り付けられることとなる。
また、このビス７１と長穴８１との組合せは、ボルト・ナットと長穴とによる組合せなどでも良く、ボルト・ナットをガイド軸のように構成し、フレーム延在方向に長い長穴を上下フレーム２２，２４及び表示板部６９の上下端縁７０ａ，７０ｂに穿設する構造としてもよい。
【００３１】
上フレーム２２及び下フレーム２４の長手方向において、少なくとも１箇所は、分断され、間隙形成部８３（図１，８参照）によって分断される。上フレーム２２及び下フレーム２４の筒状部７９の内側には、角筒状に形成された連結コア部材２７が挿入されている。本実施形態では、連結コア部材２７は、間隙形成部８３における一方のフレーム端８５から一端２７ａ側半部が延出するように、他端２７ｂ側半部がフレーム本体２３（２５）に固定され、例えば図示のように複数のリベット８６にて固定されている。そして、この連結コア部材２７の一端２７ａ側半部に他方のフレーム端８５側のフレーム本体２３（２５）が外嵌し、フレーム延在方向に沿って摺動自在となる。つまり、上フレーム２２及び下フレーム２４は、対向するフレーム端８５同士が、間隙形成部８３を利用して接近離反自在となっている。この間隙形成部８３により対向するフレーム端８５が離反し間隙８４を形成する際には、例えば２ｍの横幅の広告表示板１３において、５〜１０ｍｍで設定される。
【００３２】
連結コア部材２７は、他端２７ｂに取付穴８９が穿設され、ネジよりなる軸部材８７が貫通し螺着固定されている。この軸部材８７には、図８，図１０に示すように、付勢部材としてのコイルバネ９７の一方のフック部９８が係着されている。コイルバネ９７は、連結コア部材２７内に延在方向となって配置され、一端２７ａから他方のフック部９９が突出する。コイルバネ９７の他方のフック部９９は、図８，図９に示すように、フレーム本体２３（２５）の取付穴９０に貫通して設けられるボルト・ナットよりなる軸部材８８に係着される。すなわち左右に分断されているフレームの一対の軸部材８７，８８間にコイルバネ９７が張架されることとなる。これにより間隙形成部８３にて分断されている上下フレーム２２，２４は、対向する左右のフレーム端８５，８５同士が接近し当接状態となるように、コイルバネ９７の接近方向の付勢力で連結される。
【００３３】
なお、図８（ｂ）に示すように、フレーム本体２３（２５）には、軸部材８８の近傍に、長丸形状の窓穴６３が穿設されており、フレーム本体２３（２５）内部を視認可能とされ、連結コア部材２７の一端２７ａの位置が確認できるようになっている。この窓穴６３は、連結コア部材２７を組み付ける際、及びコイルバネ９７の係着する際のそれぞれの状態を確認できるようになっている。
【００３４】
また、下フレーム２４のＣ字係合溝７３には、図６に示すように、下部固定部材９１のＴ字係合部７５が係合される。下フレーム２４に係合した下部固定部材９１は、下ベース枠１９の下部固定片部９３に下方からの固定ビス９５によって固定される。広告表示板１３は、この固定ビス９５が締結解除されることで、開放が可能となる。
【００３５】
次に、上記の構成を有する看板の構造の作用を説明する。
図１１（ａ）は通常時の間隙形成部近傍の正面断面図、（ｂ）高温膨張時の間隙形成部近傍の正面断面図、図１２（ａ）は上フレームにおける長穴の近傍の正面断面図、（ｂ）上フレームにおける長穴の近傍の正面断面図である。
本実施形態に係る看板の構造では、外気温が上昇するなどの環境での場合について以下に説明する。
上フレーム２２及び下フレーム２４のそれぞれを分断することで、左右に長尺の看板において、アルミ製の上フレーム２２及び下フレーム２４による長手方向の伸縮を自在とする。これにより、上フレーム２２及び下フレーム２４が固定された表示板部６９に生じる熱応力を小さくすることができる。
【００３６】
また、分断された複数の上フレーム２２及び下フレーム２４は、分断部分で連結コア部材２７によって摺動自在に連結される。従って、看板の構造では、外気温の上昇や太陽光に温度上昇など熱による膨張などで変形する表示板部６９を、上下フレーム２２，２４で拘束することなく、アルミ製の上下フレーム２２，２４の温度差による伸縮は吸収しつつ、すなわち、表示板部６９の熱による膨張変形に応じて上下フレーム２２，２４が伸長し、図１１（ｂ）に示すように間隙形成部８３には間隙８４が生じ、上下のフレーム２２，２４が表示板部６９の歪みを防止する骨材としては、長尺部材のままの強度を表示板部６９に付与できる。これにより、熱応力による歪みと、低強度による歪みとの双方を抑制して、樹脂製の表示板部６９の割れや破損が防止でき、広告表示の低下を防ぐことができる。
【００３７】
また、この看板の構造では、分割構造となった個々のアルミ製のフレーム２２，２４と樹脂製の表示板部６９との固定部分において、温度差によって熱膨張・収縮が発生すると、双方の線膨張係数の違いによってその程度に差異が生じる。固定部分が固定状態のままであると、表示板部６９には、熱応力が発生する。本構成では、この固定部分において、固定手段としてビス７１と長穴８１とで構成し、長穴８１が穿設された表示板部６９が、この長穴８１の長手方向に移動可能な範囲で、図１２（ａ）及び図１２（ｂ）に示すようにスライド間隙８２をもってビス７１が螺着固定された上下フレーム２２，２４に対して相対移動する。これにより、樹脂製表示板部６９とアルミ製上下フレーム２２，２４は、熱膨張・収縮量の差異が小さくなり、すなわち吸収される。その結果、分断された上フレーム２２及び下フレーム２４に固定され拘束されることにより表示板部６９に生じる熱応力を抑制できる。
【００３８】
そして、この看板の構造では、外気温の上昇や、太陽光による温度上昇等により、樹脂製の表示板部６９が膨張すると、この表示板部６９に固定されている上フレーム２２及び下フレーム２４もそれに連れて延びようとする。このため、上フレーム２２及び下フレーム２４は、図１１（ａ）に示すように、分断箇所の間隙形成部８３が拡がり間隙８４を形成する。この際、間隙形成部８３を挟む対向するフレーム端８５に張架されているコイルバネ９７は、付勢方向、ここでは引っ張り方向に抗して延びる。従って、コイルバネ９７には、収縮方向の弾性復元力が蓄えられる。
【００３９】
一方、上昇した温度が下がり、図１１（ａ）に示すように、表示板部６９が収縮すると、間隙形成部８３を拡げていた熱応力が小さくなる。その熱応力が、コイルバネ９７の弾性復元力よりも小さくなったとき、対向するフレーム端８５は、フレーム端８５同士に張架されたコイルバネ９７の弾性復元力によって間隔を狭める方向に移動される。その結果、表示板部６９の膨張によって拡がった間隙形成部８３を、コイルバネ９７の付勢力によって強制的に狭め、すなわち間隙８４を無くし戻すことができる。
【００４０】
なお、上記の実施形態では、上フレーム２２及び下フレーム２４に１箇所の膨張吸収間隙８３を設け、連結コア部材２７を設ける例を説明したが、上フレーム２２及び下フレーム２４は、２箇所以上で分断され、そのそれぞれの膨張吸収間隙８３に連結コア部材２７が設けられるものであってもよい。
【００４１】
また、上述した実施形態では、気温が上昇する等による熱膨張が発生する場合について述べたが、気温が低下するなどで表示板部６９に熱収縮が起こる場合では、図１１（ｂ）に示すように、予め間隙形成部８３に間隙８４を設定して上下フレーム２２，２４を表示板部６９と固定しておく。これにより、表示板部６９が通常の状態から収縮を起こした場合に、その変形を間隙形成部８３の間隔を縮める方向、すなわち上下フレーム２２，２４がその長さ方向で収縮することが可能となって、表示板部６９の熱応力を抑制することとなる。
【００４２】
従って、本実施形態に係る看板の構造によれば、広告表示板１３に剛性を付与しつつ、熱応力による樹脂製の表示板部６９の割れを防止できる。
【符号の説明】
【００４３】
１１…看板（分割開閉看板）
１３…広告表示板
１７…上ベース枠
１９…下ベース枠
２０…照明装置
２２…上フレーム
２４…下フレーム
２７…連結コア部材
３５…建物壁部
６７…下端部
６９…表示板部
６９ａ…上縁水平板部
６９ｂ…下縁水平板部
６９ｃ…膨出面
７１…固定手段（ビス）
７９…筒状部
８１…長穴
８３…間隙形成部
８５…フレーム端
９７…付勢部材（コイルバネ）
【図１】
0005982437.tif 000002
【図２】
0005982437.tif 000003
【図３】
0005982437.tif 000004
【図４】
0005982437.tif 000005
【図５】
0005982437.tif 000006
【図６】
0005982437.tif 000007
【図７】
0005982437.tif 000008
【図８】
0005982437.tif 000009
【図９】
0005982437.tif 000010
【図１０】
0005982437.tif 000011
【図１１】
0005982437.tif 000012
【図１２】
0005982437.tif 000013